【手続補正書】
【提出日】平成20年9月4日(2008.9.4)
【手続補正１】
【補正対象書類名】明細書
【補正対象項目名】特許請求の範囲
【補正方法】変更
【補正の内容】
【特許請求の範囲】
【請求項１】  絞りの両側にそれぞれ回転非対称な反射面を持つ少なくとも１つの偏心プリズムが配置され、中間像を結像しない撮像光学系において、絞りより前の少なくとも１つの偏心プリズムの媒質の光学的性質と絞りより後の少なくとも１つの偏心プリズムの媒質の光学的性質とが異なることを特徴とする撮像光学系。
【請求項２】  前記絞りより前の少なくとも１つの偏心プリズムの媒質と前記絞りより後の少なくとも１つの偏心プリズムの媒質のアッベ数の差の絶対値Δνが、
５＜Δν＜８０                                        ・・・（１）
を満たすことを特徴とする請求項１記載の撮像光学系。
【請求項３】  絞りより前側のパワーが負で、絞りより後側のパワーが正で、前記絞りより前の少なくとも１つの偏心プリズムの媒質のアッベ数が小さく、前記絞りより後の少なくとも１つの偏心プリズムの媒質のアッベ数がより大きいことを特徴とする請求項２記載の撮像光学系。
【請求項４】  前記絞りより前側に反射面を１面のみ持つ１つの偏心プリズムが配置され、
前記絞りの中心を通り、撮像面の中心に到る光線を軸上主光線とするとき、物体空間での前記軸上主光線方向に対する前記絞りを通過するときの軸上主光線方向の偏角θが、
９２°＜θ＜１３５°                                  ・・・（３）
を満たすことを特徴とする請求項１から３の何れか１項記載の撮像光学系。
【手続補正２】
【補正対象書類名】明細書
【補正対象項目名】００３２
【補正方法】変更
【補正の内容】
【００３２】
ここで、上記定義の偏角θは、物体空間での軸上主光線の方向と絞りを通過するときの軸上主光線の方向が同じで平行な場合に０°で、反対向きで平行な場合に１８０°になるもので、この偏角θが上記条件（２）を満たすことにより、絞りより後の後群を前群と並べて配置できるので、撮像光学系の奥行き方向の厚さを薄く構成することが可能になる。その条件の上限の１３５°を越えると、後群が前群より前側に出て、また、下限の４５°を越えると、逆に後群が前群より後ろ側に位置することになり、何れも奥行き方向の厚さ
を薄くすることができなくなる。
【手続補正３】
【補正対象書類名】明細書
【補正対象項目名】００７８
【補正方法】変更
【補正の内容】
【００７８】
図９の場合は、偏心プリズムＰは第１面１３２、第２面１３３、第３面１３４、第４面１３５からなり、入射瞳１３１を通って入射した光は、第１面１３２で屈折して偏心プリズムＰに入射し、第２面１３３で内部反射し、第３面１３４でＺ字型の光路を形成するように内部反射し、第４面１３５に入射して屈折されて、像面１３６に結像する。
【手続補正４】
【補正対象書類名】明細書
【補正対象項目名】００７９
【補正方法】変更
【補正の内容】
【００７９】
図１０の場合は、偏心プリズムＰは第１面１３２、第２面１３３、第３面１３４、第４面１３５からなり、入射瞳１３１を通って入射した光は、第１面１３２で屈折して偏心プリズムＰに入射し、第２面１３３で内部反射し、第３面１３４に入射して全反射し、第４面１３５に入射して内部反射し、再び第３面１３４に入射して今度は屈折されて、像面１３６に結像する。
【手続補正５】
【補正対象書類名】明細書
【補正対象項目名】００８０
【補正方法】変更
【補正の内容】
【００８０】
図１１の場合は、偏心プリズムＰは第１面１３２、第２面１３３、第３面１３４、第４面１３５からなり、入射瞳１３１を通って入射した光は、第１面１３２で屈折して偏心プリズムＰに入射し、第２面１３３で内部反射し、第３面１３４に入射して内部反射し、第２面１３３に再度入射して内部反射し、第４面１３５に入射して屈折されて、像面１３６に結像する。
【手続補正６】
【補正対象書類名】明細書
【補正対象項目名】００８１
【補正方法】変更
【補正の内容】
【００８１】
図１２の場合は、偏心プリズムＰは第１面１３２、第２面１３３、第３面１３４、第４面１３５からなり、入射瞳１３１を通って入射した光は、第１面１３２で屈折して偏心プリズムＰに入射し、第２面１３３で内部反射し、第３面１３４に入射して内部反射し、第２面１３３に再度入射して内部反射し、第４面１３５に入射して内部反射し、第２面１３３に再度入射して今度は屈折されて、像面１３６に結像する。
【手続補正７】
【補正対象書類名】明細書
【補正対象項目名】００８２
【補正方法】変更
【補正の内容】
【００８２】
図１３の場合は、偏心プリズムＰは第１面１３２、第２面１３３、第３面１３４からなり、入射瞳１３１を通って入射した光は、第１面１３２で屈折して偏心プリズムＰに入射し、第２面１３３で内部反射し、再び第１面１３２に入射して今度は全反射し、第３面１３４で内部反射し、三たび第１面１３２に入射して全反射し、第３面１３４に再度入射して今度は屈折されて、像面１３６に結像する。
【手続補正８】
【補正対象書類名】明細書
【補正対象項目名】００８３
【補正方法】変更
【補正の内容】
【００８３】
図１４の場合は、偏心プリズムＰは第１面１３２、第２面１３３、第３面１３４からなり、入射瞳１３１を通って入射した光は、第１面１３２で屈折して偏心プリズムＰに入射し、第２面１３３で内部反射し、再び第１面１３２に入射して今度は全反射し、第３面１３４で内部反射し、三たび第１面１３２に入射して全反射し、再び第３面１３４に入射して内部反射し、四たび第１面１３２に入射して今度は屈折されて、像面１３６に結像する。
【手続補正９】
【補正対象書類名】明細書
【補正対象項目名】００９３
【補正方法】変更
【補正の内容】
【００９３】
さらに、ファインダー用光路４４上には、ファインダー用対物光学系５３が配置されており、このファインダー用対物光学系５３は、カバーレンズ５４、第１プリズム１０、開口絞り２、第２プリズム２０、フォーカス用レンズ６６からなり、カバーレンズ５４あるいは第１プリズム１０から第２プリズム２０までの結像光学系として、本発明による撮像光学系を用いている。また、カバー部材として用いられているカバーレンズ５４は、負のパワーを有するレンズであり、画角を拡大している。また、第２プリズム２０の後方に配置されているフォーカス用レンズ６６は光軸の前後方向へ位置調節可能になっており、ファインダー用対物光学系５３のピント調節に用いられる。このファインダー用対物光学系５３によって結像面６７上に形成された物体像は、像正立部材であるポロプリズム５５の視野枠５７上に形成される。なお、視野枠５７は、ポロプリズム５５の第１反射面５６と第２反射面５８との間を分離し、その間に配置されている。このポロプリズム５５の後方には、正立正像にされた像を観察者眼球Ｅに導く接眼光学系５９が配置されている。
【手続補正１０】
【補正対象書類名】明細書
【補正対象項目名】００９６
【補正方法】変更
【補正の内容】
【００９６】
次に、図２３は、本発明の撮像光学系を電子カメラ４０の撮影部の撮影用対物光学系４
８に組み込んだ構成の概念図を示す。この場合は、撮影用光路４２上に配置された撮影用対物光学系４８に、第１プリズム１０、開口絞り２、第２プリズム２０からなる本発明による撮像光学系を用いている。この撮影用対物光学系４８により形成された物体像は、ローパスフィルター、赤外カットフィルター等のフィルター５１を介してＣＣＤ４９の撮像面５０上に形成される。このＣＣＤ４９で受光された物体像は、処理手段５２を介し、液晶表示素子（ＬＣＤ）６０上に電子像として表示される。また、この処理手段５２は、ＣＣＤ４９で撮影された物体像を電子情報として記録する記録手段６１の制御も行う。ＬＣＤ６０に表示された画像は、接眼光学系５９を介して観察者眼球Ｅに導かれる。この接眼光学系５９は偏心プリズムからなり、この例では、入射面６２と、反射面６３と、反射と屈折の兼用面６４の３面から構成されている。また、２つの反射作用を持った面６３、６４の中、少なくとも一方の面、望ましくは両方の面が、光束にパワーを与え、かつ、偏心収差を補正する唯一の対称面を持つ面対称自由曲面にて構成されている。そして、この唯一の対称面は、撮影用対物光学系４８のプリズム１０、２０が有する面対称自由曲面の唯一の対称面と略同一平面上に形成されている。また、この撮影用対物光学系４８は他のレンズ（正レンズ、負レンズ）をプリズム１０、２０の物体側、プリズム間あるいは像側にその構成要素として含んでいてもよい。